(57)【要約】【課題】外装筐体の外側から液体供給チューブを引き込む構成の記録装置であっても、外装筐体の内部に塵埃が入り難い記録装置を提供すること。【解決手段】  記録用紙Ｐを搬送する搬送機構２１と、記録用紙Ｐに対してインクを噴射し情報の記録を行うインクヘッド３１と、搬送機構２１、インクヘッド３１、およびキャリッジ３５が収容されると共に、インクヘッド３１により情報が記録された記録用紙Ｐが排出される排出口２６が側壁部５５に形成されるハウジング２７と、ハウジング２７の外部に配置され、インクが貯留されるインクタンク２３と、インクタンク２３内のインクをインクヘッド３１に供給するインクチューブ２４とを備え、インクチューブ２４は、排出口２６を通してインクタンク２３とインクヘッド３１とに接続されている。【選択図】図２
2013215909.tif 000002
【特許請求の範囲】
【請求項１】
プリンターユニットと、該プリンターユニットの上部に当該プリンターユニット上面を開閉可能に設けられたスキャナーユニットと、を備え、
前記プリンターユニットは、
インクを被記録媒体に吐出する記録ヘッドを備え所定の方向に移動可能なヘッドユニットと、
前記ヘッドユニットの移動領域上部の少なくとも一部を露呈させる開口部を備えたハウジングと、
前記ハウジングの外側に位置するインク収容部と、
前記インク収容部から送られるインクを前記記録ヘッドへと導き、前記ヘッドユニットの前記移動に伴って追従変形する変形可動部を有する液体供給チューブと、
前記インクが吐出された被記録媒体が排出される領域を含む排出口と、を備え、
前記スキャナーユニットが閉状態の時、前記液体供給チューブは前記排出口を通して前記ハウジングの外側に出る部分を有するインクジェット記録装置。
【請求項２】
プリンターユニットと、該プリンターユニットの上部に当該プリンターユニット上面を開閉可能に設けられたスキャナーユニットと、を備え、
前記プリンターユニットは、
インクを被記録媒体に吐出する記録ヘッドを備え所定の方向に移動可能なヘッドユニットと、
前記ヘッドユニットの移動領域上部の少なくとも一部を露呈させる開口部を備えたハウジングと、
前記ハウジングの外側に位置するインク収容部と、
前記インク収容部から送られるインクを前記記録ヘッドへと導き、前記ヘッドユニットの前記移動に伴って追従変形する変形可動部を有する液体供給チューブと、
前記インクが吐出された被記録媒体が排出される領域を含む排出口と、
前記排出口に続く空間部と、を備え、
前記スキャナーユニットが閉状態の時、液体供給チューブは前記空間部を通って前記ハウジングの外側に出る部分を有するインクジェット記録装置。
【請求項３】
前記排出口が設けられた側を装置の前面側とした時、前記装置の前面側に設けられ、前記装置の操作部を構成し、前記ハウジングより外側に突出する突出位置と、前記ハウジングに沿う収納位置とに変位可能に回動するパネルユニットと、
前記パネルユニットの背面側に配置され、前記パネルユニットの突出状態を支持する支持部材を有する配置部材と、を備え、
前記空間部は、前記パネルユニットが開状態の時、前記パネルユニット、前記配置部材および前記ハウジングとで規定される隙間である、
ことを特徴とする請求項２記載のインクジェット記録装置。
【請求項４】
前記液体供給チューブを前記配置部材に固定することを特徴とする請求項３記載のインクジェット記録装置。
【請求項５】
前記液体供給チューブを前記空間部に固定することを特徴とする請求項３記載のインクジェット記録装置。
【請求項６】
前記液体供給チューブを前記排出口における前記排出領域以外に固定することを特徴とする請求項１または２記載のインクジェット記録装置。
【請求項７】
請求項１または２に記載の記録装置であって、
前記液体供給チューブは、
前記排出口の前記主走査方向の中央よりもいずれか一方の側に偏倚した位置を通されると共に、前記偏倚した側に対して反対側から前記ヘッドユニットに接続される、
ことを特徴とするインクジェット記録装置。
【請求項８】
請求項１または２に記載のインクジェット記録装置であって、
前記搬送機構は、前記被記録媒体を搬送する搬送ローラーが回動可能に支持されるローラーフレームを有し、
前記ローラーフレームには、前記液体供給チューブを支持するチューブ支持部材が取り付けられ、
前記チューブ支持部材は、前記ヘッドユニットの前記主走査方向への往復移動の範囲の略中央において、前記液体供給チューブを支持している、
ことを特徴とするインクジェット記録装置。
【請求項９】
請求項３に記載のインクジェット記録装置であって、
前記搬送機構は、前記被記録媒体を搬送する搬送ローラーが回動可能に支持されるローラーフレームを有し、
前記ローラーフレームには、前記液体供給チューブを支持するチューブ支持部材が取り付けられ、
前記チューブ支持部材は、前記ヘッドユニットの前記主走査方向への往復移動の範囲の略中央において、前記液体供給チューブを支持している、
ことを特徴とするインクジェット記録装置。
【請求項１０】
請求項３に記載のインクジェット記録装置であって、
前記パネルユニットは、前記収納位置に配置された状態で、回動しないように固定されている、
ことを特徴とする記録装置。
【請求項１１】
請求項３に記載の記録装置であって、
前記パネルユニットは、前記突出位置に配置された状態で、回動しないように固定されている、
ことを特徴とする前記インクジェット記録装置。
【請求項１２】
請求項１に記載のインクジェット記録装置であって、
前記液体供給チューブは、複数本のチューブであり複数の液体供給チューブは互いに結束部材により結束されている、
ことを特徴とするインクジェット記録装置。
【請求項１３】
請求項１または２に記載のインクジェット記録装置であって、
前記記録ヘッドに駆動信号を供給する信号線を備え、
前記信号線は、前記キャリッジを挟んで前記排出口の反対側に配置されている、
ことを特徴とするインクジェット記録装置。
【発明の詳細な説明】
【技術分野】
【０００１】
本発明は、記録装置に関する。
【背景技術】
【０００２】
記録装置の一種であるインクジェットプリンターの中には、たとえば、特許文献１，２に開示されるように、インクジェットプリンターを構成する外装筐体（ハウジング）の外側に、インクタンクを備える構成のものがある。かかる構成のインクジェットプリンターにおいては、外装筐体の外側から内側にインクチューブを引き込み、外装筐体の外側に配置されているインクタンクから外装筐体の内部に配置される記録ヘッドにインクを供給する必要がある。特許文献１，２に開示されるインクジェットプリンターにおいては、記録用紙が搬送される搬送経路での紙詰まりや記録ヘッドがインクで汚れる等のトラブルが発生したときに、トラブルを解消する目的でユーザーが外装筐体の内部にサクセスするための作業用の開口部が外装筐体に形成されている。そして、この作業用の開口部を通して、インクタンクから記録ヘッドにインクチューブ引き込まれている。
【先行技術文献】
【特許文献】
【０００３】
【特許文献１】中国特許出願公報番号５３８９０９
【特許文献２】中国実用新案公報番号ＣＮ２８２５２８９Ｙ
【発明の概要】
【発明が解決しようとする課題】
【０００４】
しかしながら、上述の作業用の開口部は、作業を行うとき以外は蓋体により塞がれている。そのため、開口部にインクチューブが通されると、開口部を蓋体により完全に閉塞することができなくなり、開口部と蓋体との隙間から外装筐体内に塵埃が入り、インクジェットプリンターに故障を誘起し易いという問題がある。
【０００５】
そこで、本発明は、外装筐体の外側から液体供給チューブを引き込む構成の記録装置であっても、外装筐体の内部に塵埃が入り難い記録装置を提供することを課題とする。
【課題を解決するための手段】
【０００６】
上記課題を解決するために、インクジェット記録装置は、プリンターユニットと、該プリンターユニットの上部に当該プリンターユニット上面を開閉可能に設けられたスキャナーユニットとを備え、プリンターユニットは、インクを被記録媒体に吐出する記録ヘッドを備え所定の方向に移動可能なヘッドユニットと、ヘッドユニットの移動領域上部の少なくとも一部を露呈させる開口部を備えたハウジングと、ハウジングの外側に位置するインク収容部と、インク収容部から送られるインクを記録ヘッドへと導き、ヘッドユニットの移動に伴って追従変形する変形可動部を有する液体供給チューブと、インクが吐出された被記録媒体が排出される領域を含む排出口とを備え、スキャナーユニットが閉状態の時、液体供給チューブは排出口を通してハウジングの外側に出る部分を有することとする。
【０００７】
インクジェット記録装置を上述のように構成した場合には、ハウジングの外側から液体供給チューブを引き込む構成の記録装置であっても、ハウジングの内部に塵埃が入り難いインクジェット記録装置を構成することができる。
【０００８】
上記課題を解決するために、インクジェット記録装置は、プリンターユニットと、該プリンターユニットの上部に当該プリンターユニット上面を開閉可能に設けられたスキャナーユニットとを備え、プリンターユニットは、インクを被記録媒体に吐出する記録ヘッドを備え所定の方向に移動可能なヘッドユニットと、ヘッドユニットの移動領域上部の少なくとも一部を露呈させる開口部を備えたハウジングと、ハウジングの外側に位置するインク収容部と、インク収容部から送られるインクを記録ヘッドへと導き、ヘッドユニットの移動に伴って追従変形する変形可動部を有する液体供給チューブと、インクが吐出された被記録媒体が排出される領域を含む排出口と、排出口に続く空間部とを備え、スキャナーユニットが閉状態の時、液体供給チューブは空間部を通ってハウジングの外側に出る部分を有するインクジェット記録装置。
【０００９】
インクジェット記録装置を上述のように構成した場合には、ハウジングの外側から液体供給チューブを引き込む構成の記録装置であっても、ハウジングの内部に塵埃が入り難いインクジェット記録装置を構成することができる。
【００１０】
また、上述の発明に加えて、排出口が設けられた側を装置の前面側とした時、装置の前面側に設けられ、装置の操作部を構成し、ハウジングより外側に突出する突出位置と、ハウジングに沿う収納位置とに変位可能に回動するパネルユニットと、パネルユニットの背面側に配置され、パネルユニットの突出状態を支持する支持部材を有する配置部材とを備え、空間部は、パネルユニットが開状態の時、パネルユニット、配置部材およびハウジングとで規定される隙間であることとする。
【００１１】
インクジェット記録装置を上述のように構成した場合には、空間部がパネルユニット、配置部材およびハウジングとで規定される狭い場所であり、空間部により液体供給チューブが移動し難いように移動を規制できる。
【００１２】
また、上述の発明に加えて、液体供給チューブを配置部材に固定することとする。
【００１３】
インクジェット記録装置を上述のように構成した場合には、ヘッドユニットが移動して液体供給チューブが移動しても、固定される部分よりもインク収容部側の液体供給チューブの移動を抑制することができる。
【００１４】
また、上述の発明に加えて、液体供給チューブを空間部に固定することとする。
【００１５】
インクジェット記録装置を上述のように構成した場合には、ヘッドユニットが移動して液体供給チューブが移動しても、固定される部分よりもインク収容部側の液体供給チューブの移動を抑制することができる。
【００１６】
また、上述の発明に加えて、液体供給チューブを排出口における排出領域以外に固定することとする。
【００１７】
インクジェット記録装置を上述のように構成した場合には、ヘッドユニットが移動して液体供給チューブが移動しても、固定される部分よりもインク収容部側の液体供給チューブの移動を抑制することができる。
【００１８】
また、上述の発明に加えて、液体供給チューブは、排出口の主走査方向の中央よりもいずれか一方の側に偏倚した位置を通されると共に、偏倚した側に対して反対側からヘッドユニットに接続されることとする。
【００１９】
インクジェット記録装置を上述のように構成した場合には、液体供給チューブの折り返し部分を少なくすることができると共に、折り返し部の曲率を小さくすることができる。そのため、キャリッジの主走査方向への移動に伴い折り返し部に係る負荷を小さくすることができ、液体供給チューブの破損を抑制することができる。
【００２０】
また、上述の発明に加えて、搬送機構は、被記録媒体を搬送する搬送ローラーが回動可能に支持されるローラーフレームを有し、ローラーフレームには、液体供給チューブを支持するチューブ支持部材が取り付けられ、チューブ支持部材は、ヘッドユニットの主走査方向への往復移動の範囲の略中央において、液体供給チューブを支持していることとする。
【００２１】
インクジェット記録装置を上述のように構成した場合には、液体供給チューブの下垂を抑えることができ、液体供給チューブが筐体内の構造物に衝突したり被記録媒体の搬送の障害になることを防止できる。
【００２２】
また、上述の発明に加えて、パネルユニットは、収納位置に配置された状態で、回動しないように固定されていることとする。
【００２３】
インクジェット記録装置を上述のように構成した場合には、記録装置の大型化を防止できる。
【００２４】
また、上述の発明に加えて、パネルユニットは、突出位置に配置された状態で、回動しないように固定されていることとする。
【００２５】
インクジェット記録装置を上述のように構成した場合には、パネルユニットが、突出位置に配置された状態に固定することで、常にパネルユニットを操作し易い配置とすることができる。
【００２６】
また、上述の発明に加えて、液体供給チューブは、複数本のチューブであり複数の液体供給チューブは互いに結束部材により結束されていることとする。
【００２７】
インクジェット記録装置を上述のように構成し、各液体供給インクチューブがばらばらにならないようにすることで、液体供給チューブがハウジング内の構造物に衝突したり被記録媒体の搬送の障害になることを防止できる。
【００２８】
また、上述の発明に加えて、記録ヘッドに駆動信号を供給する信号線を備え、この信号線は、キャリッジを挟んで排出口の反対側に配置されていることとする。
【００２９】
インクジェット記録装置を上述のように構成した場合には、液体供給チューブと信号線とが互いに干渉してしまうことを防止できる。
【図面の簡単な説明】
【００３０】
【図１】プリンターを示した外観斜視図である。
【図２】スキャナーユニットを開放状態とした際のプリンターを示した斜視図である。
【図３】プリンターを示した側面視断面図である。
【図４】スキャナーユニットの内部構造を示した斜視図である。
【図５】プリンターユニットの内部構造を示した側面視断面図である。
【図６】装置フレームを示した斜視図である。
【図７】パネルユニットを使用位置に傾動した際のプリンターを示した斜視図である。
【図８】パネルユニットが収納位置に配置されたときの回動支持機構を示した裏面斜視図である。
【図９】パネルユニットが突出位置に配置されたときの回動支持機構を示した裏面斜視図である。
【図１０】パネルユニットが突出位置に配置されたときの回動支持機構を示した裏面斜視図である。
【図１１】（ａ）は、ストッパーフレームを示した斜視図である。（ｂ）は、ストッパーフレームを示した側面図である。
【図１２】（ａ）は、フロントフレーム部を示した斜視図である。（ｂ）は、フロントフレーム部を示した側面図である。
【図１３】収納位置から突出位置に傾動させる引出し動作を示した遷移図である。
【図１４】突出位置から収納位置に傾動させる押戻し動作を示した遷移図である。
【図１５】図１、２、８に示すインクチューブの概略の線形状を示す図である。
【図１６】インクチューブの配置の例２を示すプリンターの斜視図である。
【図１７】インクチューブの配置の例３を示す装置フレームの裏面斜視図である。
【図１８】インクチューブの配置の例４を示すプリンターの側面視断面図である。
【図１９】回動支持機構の変形例を示し、回動支持機構の突出位置（第２突出位置）における構造を示した側面構造図である
【図２０】図１９に示す回動支持機構の突出位置（第１突出位置）における構造を示した側面構造図である。
【図２１】図１９に示す回動支持機構の収納位置における構造を示した側面構造図である。
【図２２】回動支持機構の突出位置（第２突出位置）におけるストッパー部材周りを示  した要部斜視図である。
【図２３】回動支持機構の突出位置（第１突出位置）におけるストッパー部材周りを示  した要部斜視図である。
【図２４】回動支持機構の収納位置におけるストッパー部材周りを示した要部斜視図で  ある。
【図２５】（ａ）は、図１９に示す変形例におけるフロントフレーム部を示した斜視図である。（ｂ）は、フロントフレーム部を示した側面図である。
【図２６】インクチューブがスペースを通ってハウジング外からハウジング内に引き込まれる構成を示す構成を前方から見た図である。
【図２７】インクチューブがスペースを通ってハウジング外からハウジング内に引き込まれる構成を示す構成を後方から見た図である。
【発明を実施するための形態】
【００３１】
以下、本発明のインクジェット記録装置の実施の形態に係るインクジェットプリンター（以下、単にプリンターと記載する）１について、図面を参照しながら説明する。なお、以下の説明において、図１に示す矢印Ｘ１で示す方向を前方（前側）、矢印Ｘ２で示す方向を後方（後側）、後方から前方に向かって左手側となる矢印Ｙ１で示す方向を左方（左側）、矢印Ｙ２で示す方向を右方（右側）、矢印Ｚ１で示す方向を上方（上側）、そして矢印Ｚ２で示す方向を下方（下側）として説明を行う。
【００３２】
図１は、プリンター１を示した外観斜視図である。図１に示すように、プリンター１は、プリンターユニット（画像記録装置）２に加えて、スキャナーユニット３を備える、いわゆる複合機として構成されている。スキャナーユニット３は、プリンターユニット２の上部に配置され、プリンターユニット２とスキャナーユニット３とは一体の構成となっている。プリンターユニット２の前面には、両ユニットを操作するための操作部であるボタン群４が備えられるパネルユニット５が設けられている。
【００３３】
図２は、スキャナーユニット３を開放状態としたプリンター１を示した斜視図である。図１および図２に示すように、スキャナーユニット３は、後端部の開閉機構６を介してプリンターユニット２に回動自在に支持されており、プリンターユニット２の上部を開閉自在に覆っている。すなわち、スキャナーユニット３を回動方向に引き上げることで、プリンターユニット２の上面開口部７を露出させ、当該上面開口部７を介して、プリンターユニット２の内部が露出される（開放状態：図２参照）。
【００３４】
一方、スキャナーユニット３を回動方向に引き降ろしプリンターユニット２上に載置することで、スキャナーユニット３によって上面開口部７が閉塞される（閉塞状態：図１参照）。スキャナーユニット３を開放し、上面開口部７を露出させることで、ユーザーは上面開口部７からプリンターユニット２の内部にアクセスすることができ、紙詰まりの解消等の処理を行うことができる。
【００３５】
図３は、プリンター１を示した側面視断面図である。図２および図３に示すように、スキャナーユニット３は、筐体を呈するアッパーフレーム８と、アッパーフレーム８に収容された画像読取部９（図４参照）と、アッパーフレーム８の上部に回動自在に支持された上蓋１０と、を備えている。また、詳細は後述するが、アッパーフレーム８の後端部には、開閉機構６のスキャナーユニット３側の構成部材が設けられている。
【００３６】
図４は、スキャナーユニット３の内部構造を示した斜視図である。図３および図４に示すように、アッパーフレーム８は、画像読取部９を収容する箱型の下ケース１１Ａと、下ケース１１Ａの天面を覆う上ケース１１Ｂと、を備えている。上ケース１１Ｂには、ガラス製の原稿載置板（原稿台）１２が広く配設されており、読取面を下にした読取媒体をこれに載置する。一方、下ケース１１Ａは、上面を開放した浅い箱状に形成されている。下ケース１１Ａの前部底面には、後述のセンサーキャリッジ１３の移動スペースとなる許容凹部１４が凹設され、後部底面には、一端が後述のセンサーユニット１５に接続されたケーブル（図示省略）を収容する収容凹部１６が凹設されている。
【００３７】
図４に示すように、画像読取部９は、ラインセンサー方式のセンサーユニット１５と、センサーユニット１５を搭載したセンサーキャリッジ１３と、Ｙ軸方向に延在し、センサーキャリッジ１３をスライド自在に支持するガイド軸１７と、センサーキャリッジ１３をガイド軸１７に沿って移動する自走式のセンサー移動機構１８と、を備えている。センサーユニット１５は、Ｘ軸方向に延在したＣＣＤ（Ｃｈａｒｇｅ Ｃｏｕｐｌｅｄ Ｄｅｖｉｃｅ）ラインセンサーであるイメージセンサー１９を有し、モーター駆動のセンサー移動機構１８により、ガイド軸１７に沿ってＹ軸方向に往復動する。これにより、原稿載置板１２上の読取部材（原稿）の画像を読み取るようになっている。なお、イメージセンサーとして、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）方式のラインセンサーを用いても良い。
【００３８】
一方、図２に示すように、プリンターユニット２は、被記録媒体として枚葉の記録用紙Ｐ（印刷用紙や単票紙）を搬送経路２０（図５参照）に沿って搬送する搬送機構２１と、搬送経路２０の上方に配設され、記録用紙Ｐにインクジェット方式で印刷処理（記録処理）を行うヘッドユニット２２と、ヘッドユニット２２に供給する記録用の液体としてのインクが貯留されるインク収容部としてのインクタンク２３と、インクタンク２３からヘッドユニット２２にインクを導く（供給する）液体供給チューブとしてのインクチューブ２４と、前面に配設されたパネル形式のパネルユニット５と、搬送機構２１、ヘッドユニット２２およびパネルユニット５を支持したフレーム体である装置フレーム２５と、これらを覆う筐体であって排出口２６が配置されるハウジング２７とを備えている。排出口２６はインクが吐出された記録用紙Ｐがハウジング２７の外側に排出される領域（搬送経路２０）を含む。インクタンク２３は、ハウジング２７の外側、すなわち、プリンター１の外側に配置されている。また、図示を省略するが、後面下部には、ＵＳＢポートおよび電源ポートが配設されている。すなわち、プリンター１は、ＵＳＢポートを介してコンピューター等に接続可能に構成されている。
【００３９】
図５は、プリンターユニット２の内部構造を示した側面視断面図である。図２および図５に示すように、ヘッドユニット２２は、装置フレーム２５に支持されると共にＹ軸方向に幅一杯に延在する板金製のガイドフレーム２８と、ガイドフレーム２８に往復動自在に支持されたキャリッジユニット２９と、キャリッジユニット２９をガイドフレーム２８に沿って往復動させるキャリッジ移動機構３０（図２参照）と、記録ヘッドとしてのインクヘッド３１とを備えている。インクヘッド３１は、キャリッジユニット２９に搭載されている。
【００４０】
ガイドフレーム２８は、断面「Ｃ」宇状に形成されており、その上下でキャリッジユニット２９の係合スライダー部３２が係合する。これにより、キャリッジユニット２９は、ガイドフレーム２８に掛け止めされるようにして片持ちで且つ延在方向（Ｙ軸方向）に往復動自在に、すなわちスライド自在に支持されている。キャリッジ移動機構３０は、ガイドフレーム２８に沿って延在するタイミングベルト３３と、タイミングベルト３３を架け渡した主動プーリ（図示省略）および従動プーリ３４と、タイミングベルト３３とキャリッジユニット２９（キャリッジ３５）とを連結する連結固定部（図示省略）と、主動プーリを駆動するキャリッジモーター（図示省略）と、を備えている。キャリッジモーターが正逆回転すると、タイミングベルト３３を介してキャリッジユニット２９がＹ軸方向（左右方向）に往復動する。この往復動に伴って、キャリッジユニット２９のインクヘッド３１が吐出駆動することにより、いわゆる主走査が行われる。ヘッドユニット２２は、インクヘッド３１を所定の方向としての主走査方向移動する。ヘッドユニット２２が移動する領域（範囲）の上部の少なくとも一部は、ハウジング２７に設けられる上面開口部７から露呈している。
【００４１】
図５に示すように、キャリッジユニット２９は、係合スライダー部３２を介してガイドフレーム２８に往復動自在に支持された箱状のキャリッジ３５と、キャリッジ３５の下面に一体に組み込まれたインクヘッド３１と、キャリッジ３５に搭載された４個のインク貯留部３６と、を備えている。
【００４２】
インクタンク２３とインク貯留部３６とはインクチューブ２４を介して接続され、インクヘッド３１にはインク貯留部３６に貯留されたインクが供給される。つまり、インクタンク２３内のインクは、インクチューブ２４およびインク貯留部３６を介してインクヘッド３１に供給される。インクヘッド３１は、４色のインク滴を吐出する４連のノズル列（図示省略）を有している。インクチューブ２４は、ヘッドユニット２２の主走査方向への移動に伴って追従変形する部分である変形可動部を有する。図５においては、少なくとも点線で示すＡ部分が、ヘッドユニット２２の主走査方向への移動に伴って追従変形する。
【００４３】
インクタンク２３は、４つのノズル列に対応して４色のインクをそれぞれ個別に貯留する個別のタンクを有している。インクチューブ２４は、４本のインクチューブ３７Ａ，３７Ｂ，３７Ｃ，３７Ｄが並列される構成であり、インクタンク２３の各色毎の個別タンクと各インク貯留部３６とを一対一で接続している。
【００４４】
各インク貯留部３６は、インクヘッド３１の４つのノズル列に一対一で接続されている。したがって、インクタンク２３の各個別タンク内のインクは、対応するインクチューブ３７Ａ，３７Ｂ，３７Ｃ，３７Ｄおよび各インク貯留部３６を介してインクヘッド３１の対応するノズル列に供給される。
【００４５】
なお、本実施の形態のプリンター１では、インクタンク２３からインクヘッド３１へのインクの供給をインク貯留部３６を介しておこなっているが、インク貯留部３６を介すことなく、インクチューブ２４を直接インクヘッド３１に接続する構成としてもよい。また、インクの色は４色に限らず、４色未満、あるいは５色以上であってもよく、インクチューブ２４を構成するインクチューブの数およびインク貯留部３６の数はインクの色数に対応したものとなる。インクヘッド３１の４つのノズル列は、相互に並行に且つＸ軸方向に延在し、送られる記録用紙に対し所定のペーパーギャップを存して下向きに配設されている。
【００４６】
キャリッジユニット２９には、信号線とてのレキブルフラットケーブル（以下、ＦＦＣと記載する。）３８が接続されているＦＦＣ３８は、インクヘッド３１とインクヘッド３１の駆動制御を行う図示を省略する制御部とを接続する。また、ＦＦＣ３８は、インク貯留部３６内のインクの貯留量に関する情報を該制御部に送る。該制御部からＦＦＣ３８を介してインクヘッド３１に駆動制御信号が送られ、インクヘッド３１は、この駆動制御信号に基づいてインク滴を噴射する。ＦＦＣ３８は、図２に示すように、インクヘッド３１から後方、すなわち、キャリッジ３５を挟んで、排出口２６が配置される側とは反対の側に配置されている。
【００４７】
図５に示すように、搬送機構２１は、記録用紙Ｐが左揃えでセットされる被記録媒体装填部としての用紙トレイ３９と、用紙トレイ３９から記録用紙Ｐを１枚ずつ分離して送り出す分離ローラー４０と、分離ローラー４０の下流側に位置し、記録用紙Ｐを搬送経路２０に沿ってヘッドユニット２２に送り込む給紙ローラー４１と、給紙ローラー４１の下流側に位置し、インクヘッド３１に対面するプラテン４２と、プラテン４２の下流側に位置する鋸歯状のガイドローラー４３と、ガイドローラー４３の下流側に位置し、排出口２６（図２参照）から記録用紙Ｐを送り出す排紙ローラー４４と、を備えている。用紙トレイ３９には、記録用紙Ｐの左端縁をガイドするガイド部材３９Ａが備えられている。給紙ローラー４１、ガイドローラー４３、および排紙ローラー４４は、それぞれ、分離ローラー４０により用紙トレイ３９から分離された記録用紙Ｐを前方に向かって搬送する搬送ローラーとして構成される。
【００４８】
給紙ローラー４１は、下側の給紙駆動ローラー４１Ａと上側の給紙従動ローラー４１Ｂとから成るニップローラーで構成され、同様に排紙ローラー４４は、下側の排紙駆動ローラー４４Ａと上側の排紙従動ローラー４４Ｂとから成るニップローラーで構成されている。また、ガイドローラー４３および排紙従動ローラー４４Ｂは、装置フレーム２５とは独立のローラーフレーム４５に支持されて、ローラーアッセンブリー４６を構成している。そして、給紙ローラー４１は、記録用紙の送り（副走査）を制御するメインローラーとして機能し、排紙ローラー４４は、プラテン４２の上側に位置する記録用紙に張力（ｔｅｎｓｉｏｎ）を付与するテンションローラーとして機能する。
【００４９】
分離ローラー４０により、用紙トレイ３９から送り込まれた記録用紙は、給紙ローラー４１により、プラテン４２上を排紙ローラー４４に向かって前方に間欠送りされる（副走査）。この間欠送りに同期して、キャリッジユニット２９が左右方向に往復動しながらインクを選択的に吐出して（主走査）、所望の印刷が行われる。一方、プラテン４２を越えてガイドローラー４３に達した記録用紙Ｐの先端は、ガイドローラー４３により上反り状態を矯正されるようにして、排紙ローラー４４に送り込まれる。このようにして、印刷が完了した記録用紙Ｐは、排紙ローラー４４により、排出口２６から前方に送り出される。
【００５０】
図６は、装置フレーム２５を示した斜視図である。図６に示すように、装置フレーム２５は、プリンターユニット２の各部を支持するフレームであり、一体成形された樹脂で構成されている。具体的には、装置フレーム２５は、ベースフレーム部４７と、ベースフレーム部４７に立設され、搬送機構２１の各構成部材およびガイドフレーム２８（図５参照）を両側で支持する左右一対のサイドフレーム部４８と、ベースフレーム部４７の前部において、スキャナーユニット３の前部の支持を補強すると共にパネルユニット５を支持する左右一対のフロントフレーム部４９と、ベースフレーム部４７の後部において、開閉機構６を介してスキャナーユニット３（図２参照）を開閉自在に支持する左右一対のリアフレーム部５０と、を備えている。
【００５１】
一対のフロントフレーム部４９は、スキャナーユニット３の前部を支持したハウジング２７の上プレートを下側から受ける。また、パネルユニット５は、回動支持機構５１（図８参照）により、図１に示す収納位置５２と図７に示す突出位置５３とに変位することができる。図１に示すパネルユニット５の収納位置５２は、操作部としてのボタン群４が配置される操作部配置面５４が、ハウジング２７の排出口２６が配置される側壁部５５の外側面５６に沿った位置に配置される位置である。
【００５２】
図７に示すパネルユニット５の突出位置５３は、操作部配置面５４が、上方から下方に向かに従って前方に突出するように操作部配置面５４が傾斜する位置である。パネルユニット５は、図７に示す突出位置５３に配置された状態で、支持部材としてのストッパーフレーム５７（図８参照）が固定部材としてのストッパーガイド５８（図６，８参照）に対して支持される。これにより、突出位置５３に配置されたパネルユニット５の収納位置５２への移動が阻止される。すなわち、ストッパーフレーム５７がストッパーガイド５８に対して支持されることで、パネルユニット５は、突出位置５３に配置された状態が維持される。
【００５３】
ユーザーが、パネルユニット５を把持し収納位置５２から引き出すと、パネルユニット５が回動支持機構５１にガイドされて、突出位置５３に回動させられる。突出位置５３では、ストッパーフレーム５７がストッパーガイド５８に対して支持されることで、パネルユニット５の突出位置５３が維持される。一方、パネルユニット５を突出位置５３からストッパーガイド５８によるストッパーフレーム５７の支持を解除しつつ押し戻すと、パネルユニット５が回動支持機構５１にガイドされて、収納位置５２に回動する。
【００５４】
なお、パネルユニット５の操作部配置面５４に配置されるボタン群４は、たとえば、起動ボタン、リセットボタンおよび選択ボタンと言った、複数の操作用のボタンを有する。ボタン群４は、プリンターユニット２のみならず、スキャナーユニット３も操作するボタンを有している。操作部配置面５４には、設定情報等を表示する液晶表示部５９が配置されているが、液晶表示部５９は、必ずしも必要としない。
【００５５】
次に、図１、図７ないし図１４を参照して、回動支持機構５１について詳細に説明する。図８は、パネルユニット５が収納位置５２（図１参照）に配置された状態にあるプリンターユニット２内の構成を示す裏面斜視図である。図９は、パネルユニット５が突出位置５３（図７参照）に配置された状態にあるプリンターユニット２内の構成を示す裏面斜視図である。図１０は、パネルユニット５が突出位置５３に配置されたときの回動支持機構５１、ストッパーフレーム５７およびストッパーガイド５８の配置を示した側面構造図である。図１、図７ないし図１０に示すように、回動支持機構５１は、パネルユニット５を、収納位置５２（図1参照）と、収納位置５２から前方に迫り出すように回動した突出位置５３（図7参照）との間で回動自在に支持する機構である。また、図１０に示すように、ストッパーフレーム５７とストッパーガイド５８とは、パネルユニット５が突出位置５３に配置された状態を維持させるための部材である。
【００５６】
図８ないし図１０に示すように、回動支持機構５１は、パネルユニット５の左右の端面の上部に配置され突出して設けられる軸部６０，６０と、上記の両フロントフレーム部４９に設けられ、軸部６０，６０を回動自在に支持する軸受部としてのトラック孔６１とを有する。軸部６０，６０は、パネルユニット５に一体に形成されてもよく、或いは取り付けられた部材で構成されてもよい。また、トラック孔６１は、両フロントフレーム部４９に形成され、左右一対の軸部６０，６０をそれぞれスライド自在且つ回転自在に支持する。各トラック孔６１は、若干前下がりに傾いて上下方向に延在する長孔で形成されている。すなわち、トラック孔６１は、軸部６０，６０を主走査方向に沿う方向で支持すると共に、プリンター１の上後方から下前方に軸部６０，６０を回転自在且つスライド自在にガイドする。
【００５７】
図８に示すように、ストッパーフレーム５７は、前方に配置される前端部６２をパネルユニット５に回動自在に連結されている。ストッパーガイド５８は、両フロントフレーム部４９に一体に形成され、ストッパーフレーム５７を前後にガイドする。これにより、パネルユニット５は、収納位置５２における起立姿勢と、前方に迫り出した突出位置５３における傾斜姿勢をとることが出来る。
【００５８】
図１０に示すように、ストッパーガイド５８には、ストッパーフレーム５７の被度当り面６３に当接するストッパーフレーム係止部６４が設けられ、ストッパーフレーム５７の後方への移動を規制する。ストッパーフレーム５７とパネルユニット５との間には、ストッパーフレーム５７を上方に回動付勢する付勢バネ６５が備えられている。したがって、図１０に示すように、パネルユニット５が突出位置５３に配置されると、ストッパーフレーム５７がストッパーガイド５８のストッパーフレーム係止部６４に当接し、パネルユニット５は、突出位置５３に配置された状態が維持される。パネルユニット５の収納時にクリック感を生じさせるクリック部６６が備えられている。
【００５９】
図１１（ａ）は、ストッパーフレーム５７を示した斜視図である。図１１（ｂ）は、ストッパーフレーム５７を示した側面図である。図１１（ａ）および（ｂ）に示すように、ストッパーフレーム５７は、パネルユニット５の幅方向に離間し、各ストッパーガイド５８に対応して係合する左右一対のストッパー部材６７と、一対のストッパー部材６７を連結する配置部材としての中間連結部材（中間連結部）６８と、中間連結部材６８の下側に設けられ、ストッパーフレーム５７の係止を解除するロック解除レバー（係止解除部材）６９（図１１（ｂ）参照）とを有し、一体に形成されている。
【００６０】
一対のストッパー部材６７および中間連結部材６８の前端部６２には、左右方向（主走査方向）に並列した複数（本実施の形態では４箇所）の回動連結部７０が形成されている。各回動連結部７０は、軸部７１を有し、当該軸部７１を、パネルユニット５の背面に形成された「Ｃ」字状の各係合部７２（図８参照）に係合させることで、ストッパーフレーム５７がパネルユニット５に回動自在に連結される。また、一対のストッパー部材６７および中間連結部材６８には、縦横に延在する複数の補強リブ７３が形成されている。中間連結部材６８は、長手方向を左右方向（主走査方向）に向け、パネルユニット５の背面（ハウジング２７の内側に向く面）に対して並行するように配置されている。また、隣接する回動連結部７０と回動連結部７０との間には、中間連結部材６８とパネルユニット５との間に間隙７４Ａ，７４Ｂ，７４Ｃ（図８参照）が形成されている。
【００６１】
各ストッパー部材６７には、その側端面に突出し、ストッパーガイド５８に係合するスライド突起７５と、その先端部において下方に突出した抜止め突起７６Ａと、が形成されている。各スライド突起７５は、ストッパー部材６７の先端方向に延在して形成されている。そして、各スライド突起７５の延在方向先端部には、上面側に形成され且つ先端方向に延在すると共に、後述の位置規制面７７（図１２（ｂ）参照）に当接する被規制面７８と、スライド突起７５の先端面で且つ被規制面７８に対し鋭角を成す傾斜面であり、後述の度当り面７９（図１２（ｂ）参照）に当接する被度当り面６３と、が形成されている。被規制面７８は、上側（位置規制面７７側）で最初に位置規制面７７突き当たるよう、他の部分から突出して形成されている。また、スライド突起７５の後端部下面側には、被規制面７８に対し並行に延在し、後述の下ガイド面８１（図１２（ｂ）参照）が摺接する被ガイド面８２が形成されている。そして、スライド突起７５は、ストッパーガイド５８に対しスライド自在に係合する一方、抜止め突起７６Ａは、パネルユニット５の最大傾回動状態において後述の規制突起７６Ｂ（図１２（ｂ）参照）に当接する。
【００６２】
ロック解除レバー６９は、付勢バネ６５の付勢力に抗して、回動連結部７０を中心に、ストッパーフレーム５７を下方に回動するレバーである。この回動によって、ストッパーフレーム５７とストッパーガイド５８との係止を解除する。ロック解除レバー６９は、中間連結部材６８の下側に設けられ、パネルユニット５の裏面側下部に向かって延在している（図１０参照）。すなわち、パネルユニット５を下側から把持した際、一緒に把持できるように配設されている。上記係止を解除する際の回動方向は、ロック解除レバー６９をパネルユニット５側に近づける方向となっており、パネルユニット５とロック解除レバー６９とを一緒に把持した際、その把持力によって、ストッパーフレーム５７を回動し、上記係止が解除される。
【００６３】
図１０に示すように、付勢バネ６５は、ストッパーフレーム５７を、その前端部６２において、上方、すなわち、後述のストッパーガイド５８の位置規制面７７側に常時回動付勢している。具体的には、幅方向両端の２つの回動連結部７０に配設した２つのねじりコイルバネ８３で構成されており、各ねじりコイルバネ８３は、一端をパネルユニット５に、他端をストッパーフレーム５７に係止されている。
【００６４】
図１２（ａ）は、フロントフレーム部４９を示した斜視図である。図１２（ｂ）は、フロントフレーム部４９を示した側面図である。図１２に示すように、各ストッパーガイド５８は、各フロントフレーム部４９の内側に突出して一体に形成されている。すなわち、一対のストッパーガイド５８は、パネルユニット５の幅方向に離間して設けられている。そして、各ストッパーガイド５８は、若干前下がり傾いて前後方向に延在し、スライド突起７５と係合するスライドガイド部８４と、上方への段部８５を存してスライドガイド部８４に連なると共に、パネルユニット５が使用・位置に移動した際にスライド突起７５を係止するストッパーフレーム係止部６４と、スライドガイド部８４およびストッパーフレーム係止部６４の下方に配設され、最大回動状態において抜止め突起７６Ａが突き当たる規制突起７６と、を備えている。
【００６５】
スライドガイド部８４により、各スライド突起７５を介して、各ストッパー部材６７をガイドすると共に、パネルユニット５が突出位置５３に配置されているときに、ストッパーフレーム係止部６４により、各スライド突起７５を介して、各ストッパー部材６７を係止する。この場合、スライドガイド部８４は、直線状に延在しており、ストッパー部材６７を直線状に移動するようにガイドする。これにより、ストッパー部材６７の移動が規制されるため、同時にパネルユニット５の移動（動き）が規制され、パネルユニット５の回動が円滑に行われる。すなわち、パネルユニット５のスライド移動および回動が適切規制されるため、回動に伴う拗れを防止することができる。
【００６６】
ストッパーフレーム係止部６４は、スライド突起７５の被度当り面６３が当接する度当り面７９と、スライド突起７５の被規制面７８が当接し、付勢バネ６５に抗してスライド突起７５（ストッパー部材６７）を位置規制する位置規制面７７と、を有している。度当り面７９は、ストッパー部材６７を介してパネルユニット５から受ける力（スライド突起７５の延在方向への力）に対し、ストッパー部材６７を位置規制面７７側に押圧する方向の分力を生じさせる傾斜面で構成されている。すなわち、度当り面７９は、位置規制面７７に対し鋭角をなしている。パネルユニット５が使用位置に位置した際、スライド突起７５の被度当り面６３および被規制面７８が、ストッパーフレーム係止部６４の度当り面７９および位置規制面７７に当接することで、ストッパー部材６７が係止され、ストッパー部材６７を介して、パネルユニット５の突出姿勢（傾斜姿勢）が維持される。すなわち、ストッパー部材６７およびストッパーフレーム係止部６４により、パネルユニット５の突出位置を保持する。なお、被度当り面６３および被規制面７８は、度当り面７９および位置規制面７７に倣う角度に形成されている。
【００６７】
スライドガイド部８４は、後端部に位置し、スライド突起７５の被度当り面６３が当接する傾斜面である度当り面８０と、スライド突起７５の被規制面７８を当接させて上面をガイドする上ガイド面８６と、スライド突起７５の被ガイド面８２を当接させて下面をガイドする下ガイド面８１と、を有している。スライドガイド部８４の度当り面８０および上ガイド面８６は、ストッパーフレーム係止部６４の度当り面７９および位置規制面７７に倣う角度で形成されている。そして、収納位置５２と使用位置との間で回動する際には、スライド突起７５を上ガイド面８６および下ガイド面８１に摺接させて、ストッパー部材６７をガイドする。なお、スライドガイド部８４は、パネルユニット５が後述するクリック係合によって収納位置５２に位置規制された状態において、被度当り面６３と度当り面８０との間に、間隙（間隔）が生じるように設計されている。したがって、度当り面８０は、パネルユニット５が、収納位置５２からさらに押し込まれたときに、これを規制する。
【００６８】
また、段部８５を含むスライドガイド部８４とストッパーフレーム係止部６４との相互の移行部分は、面取り形状に形成されている。すなわち、スライド突起７５が、スライドガイド部８４とストッパーフレーム係止部６４との間を円滑に移動するように形成されている。なお、上記付勢バネ６５は、ストッパー部材６７が、ストッパーフレーム係止部６４に係止されるように回動付勢している。すなわち、被規制面７８が、位置規制面７７および上ガイド面８６に当接する方向に回動付勢している。
【００６９】
図１０に示すように、クリック部６６は、パネルユニット５の左右両端から後方に延在し、それぞれクリック突起８８Ａを有する一対のクリック板８７と、一対のフロントフレーム部４９に形成され、一対のクリック突起８８Ａが軽くクリック係合するクリック穴（収納規制部）８８と、クリック穴８８からクリック突起８８Ａの移動軌跡に倣って延在して形成され、クリック突起８８Ａが摺接する摺接溝８９と、を備えている。クリック突起８８Ａは、半球状に形成されており、クリック突起８８Ａが、クリック穴８８に落ち込むように縦合することで、クリック感を奏すると共にパネルユニット５を収納位置５２に位置規制している。なお、クリック穴８８の位置規制を越えて、パネルユニット５が押される場合には、スライド突起７５がスライドガイド部８４の度当り面７９に当接して、パネルユニット５が位置規制される。
【００７０】
ここで図１３および図１４を参照して回動動作について説明する。図１３は、収納位置５２から使用位置に回動させる引出し動・作を示した遷移図である。図１４は、使用位置から収納位置５２に回動させる押戻し動作を示した遷移図である。まず、図１３を参照して、引出し動作について説明する。図１３に示すように、パネルユニット５が収納位置５２に位置する際には、軸部６０，６０がトラック孔６１の上端位置に位置し、スライド突起７５がスライドガイド部８４の後端部に位置している（図１３（ａ）参照）。この状態から、ユーザーがパネルユニット５を把持し引き出し始めると、軸部６０，６０がトラック孔６１にガイドされて、回転しながら下前方に移動する。これに伴って、パネルユニット５が下前方に移動する。加えて、スライド突起７５がスライドガイド部８４にガイドされて、前方に移動する。これに伴って、ストッパー部材６７はパネルユニット５に対し相対的に回動しつつ前方に移動する（図１３（ｂ）参照）。
【００７１】
ユーザーによる引き出しが進むと、軸部６０，６０がトラック孔６１の下端部に移動する。一方、スライド突起７５が段部８５を超え、付勢バネ６５の付勢力によって、スライドガイド部８４からストッパーフレーム係止部６４に入り込む（図１３（ｃ）参照）。これらに伴って、パネルユニット５が使用位置に移動する。この際、スライド突起７５をストッパーフレーム係止部６４が係止して、パネルユニット５を使用姿勢で保持する。そのため、ボタン群４を押下した際の押圧力等によって、パネルユニット５が収納側に押し戻されることがない。
【００７２】
次に図１４を参照して、押戻し動作について説明する。押戻し動作では、パネルユニット５が使用位置に位置した状態（図１４（ａ）参照）から、まず、パネルユニット５の使用姿勢の保持を解除する解除動作を行う。具体的には、ユーザーがパネルユニット５とロック解除レバー６９とを一緒に把持する。この把持力によって、ロック解除レバー６９を介し、ストッパーフレーム５７が下方（位置規制面７７に対する反対方向に）回動する。これに伴って、スライド突起７５の先端部がストッパーフレーム係止部６４から下方に離脱し、パネルユニット５の使用姿勢の保持が解除される（図１４（ｂ）参照）。
【００７３】
その後、ユーザーがパネルユニット５を押し込むと、軸部６０，６０が各トラック孔６１にガイドされて、回転しながら上後方に移動し、一方、スライド突起７５がスライドガイド部８４にガイドされ、ストッパー部材６７が後方に移動していく（図１４（ｃ）参照）。ユーザーによる押込みが進むと、軸部６０，６０がトラック孔６１の上端部に到達すると共に、スライド突起７５がスライドガイド部８４の後端部に到達する。これに伴って、パネルユニット５が収納位置５２に移動する（図１４（ｄ）参照）。
【００７４】
ここで、インクタンク２３とインクヘッド３１とを繋ぐインクチューブ２４の配置について、図１，２，７〜９，１５を参照しながら説明する。図２１，９，１５には、インクチューブ２４のハウジング２７内に配置される部分の経路が概略的に示されている。図１５は、インクチューブ２４の線形状（曲がり部分や延伸方向等、インクチューブ２４の引き回しの状態）を判り易くするため、プリンター１からハウジング２７や装置フレーム２５等のインクチューブ２４以外の構造物を省略し、インクチューブ２４のみを示した図である。
【００７５】
プリンター１内に配置されているインクチューブ２４は、概ね、図１５に示す線形状を呈している。インクチューブ２４の線形状は、線形状２７Ａ，２４Ｂ，２４Ｃ，２４Ｄ，２４Ｅ，２４Ｆ，２４Ｇ，２４Ｈを有している。図１，２，７〜９に示すように、インクタンク２３から伸びるインクチューブ２４は、排出口２６を通ってハウジング２７内に引き込まれる。すなわち、排出口２６は、インクチューブ２４が通される挿通部である。線形状２７Ａ部は、排出口２６に通されている部分であり、線形状２７Ａ部において、各インクチューブ３７Ａ，３７Ｂ，３７Ｃ，３７Ｄは上下に並列に配置されている。インクチューブ２４は、線形状２７Ａ部のように、排出口２６を通してハウジング２７の外側に出る部分を有している。
【００７６】
排出口２６を通過しハウジング２７内に伸びたインクチューブ２４は、線形状２７Ｂ部において上方に折り曲げられる。線形状２７Ｂ部において、各インクチューブ３７Ａ，３７Ｂ，３７Ｃ，３７Ｄは前後に並列に配置されている。線形状２７Ｂ部にて上方に伸びたインクチューブ２４は、線形状２７Ｃ部において前方に向かって折り曲げられる。線形状２７Ｃ部において、各インクチューブ３７Ａ，３７Ｂ，３７Ｃ，３７Ｄは上下に並列に配置されている。
【００７７】
線形状２７Ｃ部にて前方に伸びたインクチューブ２４は、線形状２７Ｄ部において左方向に向かって折り曲げられる。線形状２７Ｄ部において、インクチューブ２４は左右方向に配置され、各インクチューブ３７Ａ，３７Ｂ，３７Ｃ，３７Ｄは上下に並列に配置されている。インクチューブ２４は、線形状２７Ｂ部において上方に折り曲げられているため、線形状２７Ｄ部において、記録用紙Ｐの搬送経路の上方に配置されている。そのため、線形状２７Ｄ部に配置されるインクチューブ２４が、搬送される記録用紙Ｐに対して干渉することはない。
【００７８】
インクチューブ２４は線形状２７Ｄ部の左側に配置される線形状２７Ｅ部において後側に向かって折り返された後、右側に向かって折り返される。つまり、インクチューブ２４は線形状２７Ｅ部において、線形状２７Ｄ部の後側で右側に折り返され線形状２７Ｆ部に配置される。
【００７９】
インクチューブ２４は線形状２７Ｆ部の右側に配置される線形状２７Ｇ部において後側に向かって折り返された後、左側に向かって折り返される。つまり、インクチューブ２４は線形状２７Ｇ部において、線形状２７Ｆ部の後側で左側に折り返され線形状２７Ｈ部に配置される。線形状２７Ｈ部に配置されたインクチューブ２４はヘッドユニット２２のインク貯留部３６に接続される。
【００８０】
上述したように、インクタンク２３とインクヘッド３１とを繋ぐインクチューブ２４が排出口２６に通されていることで、インクチューブ２４をハウジング２７の外部から内部に引き込む構成であっても、引き込み部からハウジング２７内に塵埃が入り込むことを抑制することができる。
【００８１】
たとえば、上面開口部７からインクチューブ２４をハウジング２７内に引き込む構成とした場合には、スキャナーユニット３を引き降ろしても上面開口部７を完全に閉塞することができない。このため、上面開口部７とスキャナーユニット３との隙間から塵埃がハウジング２７内に入り込み易い。これに比べて、上述したように、排出口２６からインクチューブ２４をハウジング２７に引き込む構成とすることで、インクチューブ２４を引き込むために、本来開口すべきでない部分を開口させておく必要がない。そのため、プリンター１が、インクチューブ２４を外部から内部に引き込む構成であって、ハウジング２７への塵埃の侵入を抑制することができる。
【００８２】
インクチューブ２４は、上述のように、インクヘッド３１から排出口２６側に向けて配設されている。一方、ＦＦＣ３８は、図２に示すように、インクヘッド３１から後方、すなわち、キャリッジ３５を挟んで、排出口２６が配置される側とは反対の側に配置されている。つまり、インクチューブ２４は、インクヘッド３１よりも排出口２６の側に配置され、ＦＦＣ３８は、キャリッジ３５を挟んで排出口２６と反対側に配置されている。このように、インクチューブ２４とＦＦＣ３８とをキャリッジ３５を挟んで反対側に配置することで、インクチューブ２４とＦＦＣ３８とが互いに干渉してしまうことを防止できる。
【００８３】
記録用紙Ｐへの記録に際して、インクヘッド３１は主走査方向に往復移動させられる。そのため、インクチューブ２４の線形状は、インクヘッド３１の移動に伴って変形する。また、インクヘッド３１に接続されるＦＦＣ３８もインクヘッド３１の移動に伴って線形状が変形する。インクヘッド３１が主走査方向に往復移動する際に、インクチューブ２４あるいはＦＦＣ３８の線形状が変形すると、インクチューブ２４とＦＦＣ３８とが干渉する虞がある。インクチューブ２４とＦＦＣ３８とが干渉してしまうと、互いに損傷を来したり、インクヘッド３１の移動に負荷を来してしまうという問題がある。
【００８４】
これに対して、上述したように、インクチューブ２４とＦＦＣ３８とをキャリッジ３５を挟んで反対側に配置した場合には、インクチューブ２４とＦＦＣ３８とが互いに干渉してしまうことを防止できる。このため、インクチューブ２４とＦＦＣ３８とが互いに干渉して互いに損傷を来したり、キャリッジ３５の移動に負荷を来してしまうということを抑制できる。
【００８５】
さらに、インクチューブ２４とＦＦＣ３８は左右方向においてもキャリッジ３５を挟んで反対方向に配置されている。つまり、インクチューブ２４はキャリッジ３５の右側からヘッドユニット２２（インク貯留部３６）に接続され、また、ＦＦＣ３８はキャリッジ３５の左側からキャリッジユニット２９（インクヘッド３１、インク貯留部３６）に接続される。このように、インクチューブ２４とＦＦＣ３８とが、左右方向においてもキャリッジ３５を挟んで反対方向に配置されることで、インクチューブ２４とＦＦＣ３８とが互いに干渉してしまうことをより効果的に防止できる。
【００８６】
また、排出口２６を通されるインクチューブ２４は、図１，２，７等に示すように、排出口２６の左右方向の中よりも左右方向の何れか一方の側に偏倚した位置（本例では右側）を通されることが好ましい。一方の側に偏倚することで、排出口２６から排出される記録用紙Ｐの進路の妨げになり難い。
【００８７】
また、上述のように、インクチューブ２４を排出口２６の左右方向の中央よりも左右方向の何れか一方の側に偏倚した位置（本例では右側）に通すことに加えて、インクチューブ２４の排出口２６を通る部分（線形状２７Ａの部分）は、各インクチューブ３７Ａ〜３７Ｄが上下に配列されることが好ましい。たとえば、図１に点線で示す引き込み部９０あるいは引き込み部９１にインクチューブ２４を通すこともできる。すなわち、インクチューブ２４を排出口２６の下面部９２（引き込み部９０）あるいは上面部９３（引き込み部９１）に沿って配置することもできる。しかしながら、インクチューブ２４の排出口２６を通る部分（線形状２７Ａの部分）は、上述したように、各インクチューブ２４Ａ〜２４Ｄを上下に配列させ、排出口２６の右側面２６Ａに沿わせるように配置することで、排出口２６から排出される記録用紙Ｐの進路からより確実に退避した位置にインクチューブ２４を配置することができる。
【００８８】
プリンター１の用紙トレイ３９は、記録用紙Ｐが左揃えでセットされる構成であり、排出口２６を通過する記録用紙Ｐは、排出口２６の左側に寄った位置を搬送される。したがって、上述のように、インクチューブ２４を、線形状２７Ａ部が排出口２６の右側面２６Ａに沿うように配置することで、排出口２６から排出される記録用紙Ｐの進路をより確実に妨げることのないようにすることができる。
【００８９】
つまり、記録用紙Ｐが用紙トレイ３９の左右の何れかの側に偏倚されてセットされる場合には、排出口２６に通されるインクチューブ２４を、記録用紙Ｐが偏倚される側とは反対側に偏倚された位置を通されることで、排出口２６から排出される記録用紙Ｐの進路を妨げないようにすることができる。
【００９０】
なお、上述の説明において、インクタンク２３側から排出口２６を通ってハウジング２７内に引き込まれるインクチューブ２４は、排出口２６の左右のいずれか一方の端部を通すことが好ましいとした。しかしながら、インクチューブ２４を２組に分け（２本ずつ、あるいは１本と３本）排出口２６の左右の両側からインクチューブ２４をハウジング２７内に引き込む構成としてもよい。排出口２６よりも後側には、パネルユニット５の回動支持機構５１等の構造物が配置されているため、インクチューブ２４を配置するスペースを十分に確保し難い。しかしながら、インクチューブ２４を２組に分け、排出口２６の左右の両側からハウジング２７内に引き込むことで、排出口２６の後方におけるインクチューブ２４の配置スペースが分散され、排出口２６の後方においてインクチューブ２４を配置する空間を確保し易い。
【００９１】
特に、用紙トレイ３９が、記録用紙Ｐを左右の中央にセットすることができる、いわゆるセンター給紙式の構成である場合には、インクチューブ２４を左右に分けて排出口２６に通すことで、排出口２６から排出される記録用紙Ｐの進路（搬送経路２０）から退避した位置にインクチューブ２４を配置し易い。
【００９２】
インクチューブ２４は、線形状２７Ｅ部よりもインクタンク２３側において、中間連結部材６８、装置フレーム２５、ハウジング２７の内側面、または排出口２６の内周の側面（右側面２６Ａ，左側面２６Ｂ，下面部９２，上面部９３）等の部分のうち、少なくとも一箇所に対して固定されることが好ましい。このように固定されることで、キャリッジ３５が移動することで線形状２７Ｅよりもキャリッジ３５側のインクチューブ２４が移動しても、固定される部分よりもインクタンク２３側のインクチューブ２４の移動（線形状の変形）を抑制することがでる。固定部よりもインクタンク２３側のインクチューブ２４の移動を抑制することで、インクチューブ２４が記録用紙Ｐの進路に進出し記録用紙Ｐと干渉する等の不都合の発生を予防できる。たとえば、図８に点線で示すように、中間連結部材６８に対して後方に延在するビーム９４を固定し、このビーム９４にインクチューブ２４を固定することができる。また、インクチューブ２４は、テープ１２１でフロントフレーム部４９に対して固定してもよい。図８に示すテープ１２１による固定位置は、排出口２６よりも後側であって排紙ローラー４４よりも前側の位置である。ビーム９４およびテープ１２１による固定は、インクチューブ２４が、排出口２６における記録用紙Ｐが排出される領域以外の位置で固定される例である。該固定位置（ビーム９４およびテープ１２１による固定位置）は、排紙ローラー４４よりも下流側（記録用紙Ｐの搬送方向の側）に配置されている。つまり、インクチューブ２４は、排紙ローラー４４よりも下流側でプリンターユニット２に対して固定されている。
【００９３】
（他の実施の形態１）
図１，２等に示すプリンター１においては、排出口２６のインクチューブ２４が通る側（右端側）とインク貯留部３６に接続される側（右側）とは同じ側となっている。これに対し、図１６に示すように、排出口２６のインクチューブ２４が通る側とインク貯留部３６（キャリッジ３５）に接続される側とを反対側にしてもよい。このように構成することで、インクチューブ２４の折り返し部分を少なくすることができる。インクチューブ２４が変形する際に負荷がかかる折り返し部を少なくすることで、インクチューブ２４の破損を抑制することができる。
【００９４】
また、インクチューブ２４は、折り返し部２４Ｊよりもインクタンク２３側において、中間連結部材６８、装置フレーム２５、または排出口２６の内周の側面等の部分のうち、少なくとも一箇所に対して固定されることが好ましい。このように固定される場合には、キャリッジ３５が移動することで折り返し部２４Ｊよりもキャリッジ３５側のインクチューブ２４が移動しても、固定される部分よりもインクタンク２３側のインクチューブ２４の移動（線形状の変形）を抑制することがでる。固定部よりもインクタンク２３側のインクチューブ２４の移動を抑制することで、インクチューブ２４が記録用紙Ｐの進路に進出し記録用紙Ｐと干渉する等の不都合の発生を予防できる。
【００９５】
（他の実施の形態２）
図１７に示すように、インクチューブ２４は、パネルユニット５の背面５Ａと中間連結部材６８との間に形成される間隙７４Ａに通すように配置してもよい。このようにインクチューブ２４を配置した場合には、インクチューブ２４の移動が背面５Ａと中間連結部材６８とにより規制される。そのため、キャリッジ３５の往復移動に伴うインクチューブ２４の移動を抑制でき、インクチューブ２４がハウジング２７内の構造物に衝突したり記録用紙Ｐの搬送の障害になることを防止できる。なお、図１７においては、インクチューブ２４は間隙７４Ａ内を通されているが、間隙７４Ｂ，７４Ｃ内を通す構成としてもよい。
【００９６】
（他の実施の形態３）
図１８に示すように、ローラーフレーム４５に、インクチューブ２４を支持するチューブ支持部材９５を備える構成としてもよい。チューブ支持部材９５によりインクチューブ２４を下方から支持することで、インクチューブ２４の下垂を抑えることができ、インクチューブ２４がハウジング２７内の構造物に衝突したり記録用紙Ｐの搬送の障害になることを防止できる。チューブ支持部材９５は、先端部が二股に分かれるチューブ保持部９６を有する。インクチューブ２４は、チューブ保持部９６の内側に嵌められ、下方に脱落しないように保持されている。チューブ支持部材９５は、たとえば、図８，１７に点線で示す位置に配置され、インクチューブ２４を支持する。すなわち、インクチューブ２４は、排出口２６における記録用紙Ｐが排出される領域以外に配置されるチューブ支持部材９５に対して固定されている。チューブ支持部材９５は、排紙ローラー４４よりも下流側（記録用紙Ｐの搬送方向の側）に配置されている。つまり、インクチューブ２４は、排紙ローラー４４よりも下流側でプリンターユニット２に対して固定されている。
【００９７】
チューブ支持部材９５がインクチューブ２４を支持する位置は特に限定されるものでないが、キャリッジ３５の主走査方向の移動幅の略中央に配置することで、インクチューブ２４のチューブ支持部材９５よりインクタンク２３の部分は、キャリッジ３５の移動に伴う移動が抑えられる。そのため、排出口２６の左右いずれの側にもインクチューブ２４を通すことができる。
【００９８】
（他の実施の形態４）
パネルユニット５は、収納位置５２に配置された状態で、回動しないように、すなわち、突出位置５３に移動しないように固定されていることが好ましい。パネルユニット５が突出位置５３に配置された状態では、パネルユニット５が前方に突出した分だけプリンター１が大型化する。そのため、パネルユニット５が、収納位置５２に配置された状態で突出位置５３に移動しないように固定することで、プリンター１が大型化してしまうことを防止できる。
【００９９】
また、パネルユニット５が回動しないようにすることで、回動時にパネルユニット５がインクチューブ２４に接触し、インクチューブ２４を損傷させてしまうことを防止できる。また、インクチューブ２４が、間隙７４Ａに通されたり、あるいはビーム９４に固定される等により、パネルユニット５に対して位置決めされている場合には、パネルユニット５が回動すると、その回動によりインクチューブ２４が変形する。その変形によりインクチューブ２４が破断する等の問題が発生する虞があるが、パネルユニット５が回動しないようにすることで、かかる問題の発生を防止できる。
【０１００】
パネルユニット５は、突出位置５３に配置された状態から回動しないように、すなわち、突出位置５３から収納位置５２側に移動しないように固定されていることが好ましい。パネルユニット５が突出位置５３に配置された状態では、パネルユニット５の操作部配置面５４が上方に向くため操作が行い易い。パネルユニット５が、突出位置５３に配置された状態で収納位置５２に移動しないように固定することで、常にパネルユニット５を操作し易い配置とすることができる。
【０１０１】
パネルユニット５を突出位置５３に配置した状態で固定、また、パネルユニット５が回動しないようにすることで、回動時にパネルユニット５がインクチューブ２４に接触し、インクチューブ２４を損傷させてしまうことを防止できる。また、インクチューブ２４が、間隙７４Ａに通されたり、あるいはビーム９４（図８参照）に固定される等により、パネルユニット５に対して位置決めされている場合には、パネルユニット５が回動すると、その回動によりインクチューブ２４が変形する。その変形によりインクチューブ２４が破断する等の問題が発生する虞があるが、パネルユニット５が回動しないようにすることで、かかる問題の発生を防止できる。
【０１０２】
なお、パネルユニット５の収納位置５２または突出位置５３での固定は、パネルユニット５の操作部配置面５４から側壁部５５の外側面５６に亘って粘着テープを張り付けたり、あるいは、パネルユニット５と側壁部５５とを接着剤を用いて接着する等の手段で行うことができる。
【０１０３】
インクチューブ２４を構成する各インクチューブ３７Ａ，３７Ｂ，３７Ｃ，３７Ｄは互いにばらばらにならないよう結束部材としての結束体等により束ねられていることが好ましい。各インクチューブ３７Ａ，３７Ｂ，３７Ｃ，３７Ｄが互いに束ねられることで、インクチューブ２４がハウジング２７内の構造物に衝突したり記録用紙Ｐの搬送の障害になることを防止できる。なお、各インクチューブ３７Ａ，３７Ｂ，３７Ｃ，３７Ｄを束ねる必要はなく、束ねない構成とした場合には、各インクチューブ３７Ａ，３７Ｂ，３７Ｃ，３７Ｄの経路をそれぞれ個別にすることができ、各インクチューブ３７Ａ，３７Ｂ，３７Ｃ，３７Ｄの配置の自由が増す。
【０１０４】
なお、排出口２６からハウジング２７内に引き込まれたインクチューブ２４は、図９に示すスペース９７に通してもよい。スペース９７は、パネルユニット５の右側の側面部５Ｂとフロントフレーム部４９との間の間隙であり、排出口２６に続く空間部である。すなわち、スペース９７は、パネルユニット５が開状態の時、パネルユニット５、中間連結部材６８およびハウジング２７とで規定される隙間である。インクチューブ２４は、スキャナーユニット３が上面開口部７を閉塞する閉状態の時、スペース９７を通ってハウジング２７の外側に出る部分を有する。スペース９７は、側面部５Ｂとフロントフレーム部４９の間隔が狭い場所であり、インクチューブ２４が移動し難いように移動を規制できる。インクチューブ２４をスペース９７に固定することで、よりインクチューブ２４が移動し難いように移動を規制できる。右側一箇所のスペース９７に、インクチューブ３７Ａ，３７Ｂ，３７Ｃ，３７Ｄを全て通す必要はなく、パネルユニット５の左側の側面部５Ｃとフロントフレーム部４９との間のスペース９７にもインクチューブ３７Ａ，３７Ｂ，３７Ｃ，３７Ｄのうち、一本乃至３本を通す構成としてもよい。また、図２６，２７に示すように、インクチューブ２４は、排出口２６を通さず、ハウジング２７の外側から直接スぺース９７に通してハウジング２７内に引き込む構成としてもよい。
【０１０５】
次に図１９ないし図２５を参照して、パネルユニット５を突出位置１０５（第１突出位置），１０６（第２突出位置）の２箇所に移動させることができる構成について説明する。上述の実施形態のプリンター１と異なる部分のみ説明する。図１９は、突出時（突出位置１０５）の回動支持機構５１の状態を示した側面構造図である。図２０は、突出時（突出位置１０６）の回動支持機構５１の状態を示した側面構造図である。図２１は、収納時（収納位置）の回動支持機構５１の状態を示した側面構造図である。図１９ないし図２１に示すように、プリンター１では、パネルユニット５を２段階の傾斜姿勢で保持可能に構成されている。すなわち、回動支持機構５１は、パネルユニット５を、収納位置（０度）と、収納位置から回動した突出位置１０５（３５度）と、突出位置１０５からさらに回動した突出位置１０６（５５度）との間で回動自在に支持している。
【０１０６】
図１９ないし図２１に示すように、回動支持機構５１は、一対のトラック孔６１に代えて、両フロントフレーム部４９に形成され、一対の軸部６０，６０をそれぞれ回転自在に支持する一対の軸受け部１０７を備えている。すなわち、図１９ないし図２１に示す回動支持機構５１の構成によれば、パネルユニット５の回動のみによって、パネルユニット５を回動させる。
【０１０７】
図２２は、使用時（突出位置１０６）のストッパー部材６７周りを示した要部斜視図である。図２３は、使用時（突出位置１０５）のストッパー部材６７周りを示した要部斜視図である。図２４は、収納時のストッパー部材６７周りを示した要部斜視図である。図１９ないし図２４に示すように、各ストッパー部材６７は、その側端面に突出し、ストッパーガイド５８に係合する略四角形の方形突起１０８を有している。方形突起１０８は、上面側に形成され、後述の位置規制面１０９に当接する被規制面１１０と、側面側（ストッパー部材６７の先端方向側面）に形成され、後述の度当り面１１１に当接する被度当り面１１９と、を有している。また、被規制面１１０に対し被度当り面１１１は、略直角をなしている。
【０１０８】
図２５（ａ）は、フロントフレーム部４９を示した斜視図である。図２５（ｂ）は、フロントフレーム部４９を示した側面図である。図２５に示すように、各ストッパーガイド５８は、若干前下がり傾いて前後方向に延在する第１スライドガイド部（スライドガイド部）１１２と、鈍角の段部１１３を存して第１スライドガイド部１１２に連なる第１ストッパー係止部（ストッパー係止部）１１４と、第１ストッパー係止部１１４に連なり、第１スライドガイド部１１２より更に傾いて前後方向に延在する第２スライドガイド部（スライドガイド部）１１５と、鋭角の段部１２０を存して第２スライドガイド部１１５に連なる第２ストッパー係止部（ストッパー係止部）１１６と、第２ストッパー係止部１１６の前方に位置し、最大回動状態において、方形突起１０８が突き当たる規制面部１１７と、を一体に備えている。
【０１０９】
第１ストッパー係止部１１４および第２ストッパー係止部１１６は、方形突起１０８の被度当り面１１９が当接する度当り面１１１と、方形突起１０８の被規制面１１０が当接し、付勢バネ６５に抗して方形突起１０８（ストッパー部材６７）を位置規制する位置規制面１０９と、を有している。また、度当り面１１１は、位置規制面１０９に対し略直角をなしている。そして、パネルユニット５が突出位置１０５に位置した際には、方形突起１０８が、第１ストッパー係止部１１４の度当り面１１１および位置規制面１０９に当接することで、ストッパー部材６７を係止して、突出位置１０５での使用姿勢を保持する。一方、パネルユニット５が突出位置１０６に位置した際には、方形突起１０８が、第２ストッパー係止部１１６の度当り面１１１および位置規制面１０９に当接することで、ストッパー部材６７を係止して、突出位置１０５での使用姿勢を保持する。
【０１１０】
第１スライドガイド部１１２および第２スライドガイド部１１５は、方形突起１０８の被規制面１１０を当接させて上面をガイドする上ガイド面１１８を有している。すなわち、第１スライドガイド部１１２および第２スライドガイド部１１５は、方形突起１０８の上面のみに摺接して、ストッパー部材６７をガイドする。収納位置と突出位置１０５との間で回動する際には、方形突起１０８を第１スライドガイド部１１２の上ガイド面１１８に摺接させて、ストッパー部材６７をガイドする。一方、突出位置１０５と突出位置１０６との間で回動する際には、方形突起１０８を第２スライドガイド部１１５の上ガイド面１１８に摺接させて、ストッパー部材６７をガイドする。また、第１スライドガイド部１１２は、その後端部に位置し、方形突起１０８の被度当り面１１９が当接する度当り面１１１を有している。
【０１１１】
ここで回動動作について説明する。引出し動作では、ユーザーが、収納位置のパネルユニット５を把持し引き出すと、方形突起１０８が第１スライドガイド部１１２にガイドされて前方に移動し、段部１１３を超えて第１ストッパー係止部１１４に係止される（図２０参照）。これに伴って、パネルユニット５が軸部６０，６０を中心に回動し、突出位置１０５に回動する。また、突出位置１０５のパネルユニット５をさらに引き出すと、方形突起１０８が第２スライドガイド部１１５にガイドされて前方に移動し、段部１２０を超えて第２ストッパー係止部１１６に係止される。これに伴って、パネルユニット５が軸部６０，６０を中心に回動し、突出位置１０６に回動する（図１９参照）。
【０１１２】
一方、押戻し動作では、ユーザーが、突出位置１０６の使用姿勢を解除しつつパネルユニット５を押し込むと、方形突起１０８が第２スライドガイド部１１５にガイドされて後方に移動し、第１ストッパー係止部１１４に係止される。これに伴って、パネルユニット５が突出位置１０５に回動する。また、突出位置１０５の使用姿勢を解除しつつ、パネルユニット５を押し込むと、方形突起１０８が第１スライドガイド部１１２にガイドされて後方に移動し、第１スライドガイド部１１２の後端部に到達する。これに伴って、パネルユニット５が収納位置に回動する。
【０１１３】
上述のように、パネルユニット５を、突出位置１０５，１０６の２箇所に移動させることができる構成とした場合にも、図１〜図２４に示した構成と同様に、インクチューブ２４を配置することができる。
【０１１４】
上述の実施の形態では、プリンター１は、スキャナーユニット３を有し、プリンター機能とスキャナー機能とを備える複合機として示されているが、スキャナー機能を有しない、プリンター機能単体のものであってもよい。この場合には、上面開口部７の開閉は、スキャナーユニット３に換えて、スキャナー機能を有しない蓋体により行うことができる。
【０１１５】
上述の実施の形態では、プリンター１は、インクヘッド３１がキャリッジ移動機構３０により主走査方向に移動される構成を例として示しているが、プリンター１は、インクヘッドが記録用紙Ｐの幅方向に沿って長手に設けられる、いわゆるラインヘッドを備える構成であっても良い。
【符号の説明】
【０１１６】
Ｐ  …  被記録媒体
１  …  プリンター（インクジェット記録装置）
２  …  プリンターユニット
３  …  スキャナーユニット
５  …  パネルユニット
７  …  上面開口部（開口部）
２２  …  ヘッドユニット
２３  …  インクタンク（インク収容部）
２４  …  インクチューブ（液体供給チューブ）
２６  …  排出口
２７  …  ハウジング
３１  …  インクヘッド（記録ヘッド）
３８  …  ＦＦＣ（信号線）
４０  …  分離ローラー（搬送ローラー）
４１  …  給紙ローラー（搬送ローラー）
４５  …  ローラーフレーム
５２  …  収納位置
５３  …  突出位置
５７  …  ストッパーフレーム（支持部材）
６８  …  中間連結部材（配置部材）
９５  …  チューブ支持部材
９７  …  スペース（空間部）
【図１】
2013215909.tif 000003
【図２】
2013215909.tif 000004
【図３】
2013215909.tif 000005
【図４】
2013215909.tif 000006
【図５】
2013215909.tif 000007
【図６】
2013215909.tif 000008
【図７】
2013215909.tif 000009
【図８】
2013215909.tif 000010
【図９】
2013215909.tif 000011
【図１０】
2013215909.tif 000012
【図１１】
2013215909.tif 000013
【図１２】
2013215909.tif 000014
【図１３】
2013215909.tif 000015
【図１４】
2013215909.tif 000016
【図１５】
2013215909.tif 000017
【図１６】
2013215909.tif 000018
【図１７】
2013215909.tif 000019
【図１８】
2013215909.tif 000020
【図１９】
2013215909.tif 000021
【図２０】
2013215909.tif 000022
【図２１】
2013215909.tif 000023
【図２２】
2013215909.tif 000024
【図２３】
2013215909.tif 000025
【図２４】
2013215909.tif 000026
【図２５】
2013215909.tif 000027
【図２６】
2013215909.tif 000028
【図２７】
2013215909.tif 000029